(57)【要約】      （修正有）【課題】本発明は、ＣＤやＤＶＤ等のディスク状記憶媒体を収納するための紙製の収納ケースであり、一のシート地から簡単かつ低コストで製造できると共に収納したディスクを外部から有効に保護することができ,更には高級感溢れる収納ケースを提供する。【解決手段】係る課題を解決するため枠体部基面１００と底面部基面１１０と蓋体部基面１２０とをそれぞれ一定の幅をもって連接すると共にそれぞれの両側部分にそれぞれ枠体部重ね面１０１，１０２と底面部重ね面１１１，１１２と蓋体部重ね面１２１，１２２を有し、枠体部基面と枠体部重ね面には切り欠き部１４０，１４１，１４２を有し、それぞれの各重ね面を各基面に折り込んで重ね合わせて接着して枠体部と底面部と蓋体部を構成し、更に枠体部を底面部に折り込んで重ね合わせて接着して構成したディスクを収納するための収納ケースによって前記課題を解決できる。【選択図】図２
2007112493.tif 000002
【特許請求の範囲】
【請求項１】
紙製のシート地を折り込んで構成する収納ケースであって、
枠体部基面１００と底面部基面１１０と蓋体部基面１２０とをそれぞれ一定の幅をもって連接すると共に枠体部基面１００と底面部基面１１０と蓋体部基面１２０のそれぞれの両側部分にはそれぞれ枠体部重ね面１０１、１０２と底面部重ね面１１１、１１２と蓋体部重ね面１２１、１２２とを有し、
該各重ね面同士は他の重ね面とは切り離されているものであると共に各基面とほぼ同一の大きさを有し、
枠体部基面１００と枠体部重ね面１０１、１０２には少なくともディスクの大きさ以上の大きさの切り欠き部１４０、１４１、１４２を有し、
それぞれの枠体部重ね面１０１、１０２を枠体部基面１００に折り込んで重ね合わせて接着して枠体部１０を構成し、
それぞれの底面部重ね面１１１、１１２を底面部基面１１０に折り込んで重ね合わせて接着して底面部１１を構成し、
それぞれの蓋体部重ね面１２１、１２２を蓋体部基面１２０に折り込んで重ね合わせて接着して蓋体部１２を構成し、
該枠体部１０を底面部１１に折り込んで重ね合わせて接着することにより構成したことを特徴とするディスクを収納するための収納ケース。
【請求項２】
底面部重ね面１２１、１２２に孔１３を有し、該孔１３からディスク保持部６の円盤状部分を突出して配設したことを特徴とする請求項１記載の収納ケース。
【請求項３】
一の蓋体部重ね面１２１に切れ込み部１５を設け、該切れ込み部１５を有する蓋体重ね面１２１を他の蓋体重ね面１２２の上に重ねて折り込むと共に、少なくとも該切れ込み部１５の周囲の蓋体重ね面同士間１２１、１２２においては接着せずには両者間において切れ込み部１５から物を差し入れることができることを特徴とする請求項１又は２のいずれかに記載の収納ケース。
【請求項４】
枠体部基面１００と底面部基面１１０との間における幅が少なくとも各重ね合わせ面の四面分の厚さの長さの幅を有することを特徴とする請求項１乃至３のいずれかに記載の収納ケース。
【請求項５】
底面部基面１１０と蓋体部基面１２０との間における幅が少なくとも各重ね合わせ面の七面分の厚さの長さの幅を有することを特徴とする請求項１乃至４のいずれかに記載の収納ケース。
【請求項６】
紙製のシート地が、厚紙よりなることを特徴とする請求項１乃至５のいずれかに記載の収納ケース。
【請求項７】
紙製のシート地が、樹脂シートとの多層シートよりなることを特徴とする請求項１乃至６のいずれかに記載の収納ケース。
【請求項８】
折り込んで重ね合わせての接着が接着部材による接着であることを特徴とする請求項１乃至７のいずれかに記載の収納ケース。
【請求項９】
折り込んで重ね合わせて接着することに代えて、折り込んで重ね合わせて溶着するものであることを特徴とする請求項１乃至７のいずれかに記載の収納ケース。
【発明の詳細な説明】
【技術分野】
【０００１】
本発明は、ＣＤやＤＶＤ等のディスク状記憶媒体を収納するための紙製のディスクの収納ケースに関する。
【背景技術】
【０００２】
従来よりＣＤやＤＶＤ等のディスク状記憶媒体（以下、ディスクという。）を 保管し又は運搬するための収納ケースとしてはプラスチック成型によって作られる薄い箱状収納ケースが多用されている。
これはディスクを載置すると共にディスクの中央孔に嵌着する円盤状のディスク保持部を本体に有し、これに蓋体が被さって収納ケースを閉じる構成の薄い箱状収納ケースである。
このプラスチック成型に関しては軽量で強度を持って構成できると共に大量生産に向いているものであり、ある程度安価に製造できるものであることから現在においては極めて多種類のプラスチック成型の収納ケースが使われているものである。
【０００３】
これに対して、プラスチック成型によるものであることから画一的に製造されてしまい、見た目においてどうしてもありふれた構成となってしまうものであり、安価感を生じさせてしまうものであった。
更に破棄処分の際に焼却に適しておらず、環境面での何らかの解決で望まれていた。
又、プラスチック成型ゆえにヒンジ部等の特定の箇所に対して力がかかる場合にその部分の破損がしやすく、更にこれ以外の場所においてもケース自体のわれなどが生ずることが多かった。
これはプラスチック成型が一定程度の強度は有するが、それを超えた場合には割れやすいものであり、特に力の係る部分や突出部を持って押えられた場合等には破損しやすいものであった。
【０００４】
従って、これに対する何らかの対策が必要とされていた。
更には、プラスチック成型によって作られた場合における表面印刷等を行う場合には、コスト高になるものが多かった。
以上の各点に鑑み、プラスチック成型ではなく紙製収納ケースも用いられているものである。
まず、特開２００３−１９２０７７号（特許文献１）が存在する。
これは、基板シートにトレイを有するものであって、両者とも紙によって形成されるものである。
又、特開２００２−６８３５４号（特許文献２）にもＲスリットを設けた紙製の収納ケースが明示されている。
【０００５】
更に、特開２００１−１２２３７４号（特許文献３）には、一の紙製のシートからなる多数枚を差し入れ可能な収納部分を有する収納ケースが明示されている。
このほか、外ケースと内ケースとに分かれて、外ケース内に内ケースに入れたディスクを収納する特開２００２−３７０７２６号（特許文献４）がある。
又、一の紙製のシートにより蛇腹部を持って空間を有する収納ケースとして特開２０００−６２７６４号（特許文献５）も存在する。
これらは全て紙であることによる利点をもって構成されており、それぞれにおいてその形状に特徴を持っているものである。
【特許文献１】特開２００３−１９２０７７号
【特許文献２】特開２００２−６８３５４号
【特許文献３】特開２００１−１２２３７４号
【特許文献４】特開２００２−３７０７２６号
【特許文献５】特開２０００−６２７６４号
【発明の開示】
【発明が解決しようとする課題】
【０００６】
以上の様に、プラスチック成型による欠点を除去するために紙製によるディスクの収納ケースが用いられているものである。
しかし、まず特開２００３−１９２０７７号（特許文献１）にあっては、カバー部とトレイ部をそれぞれ製造し、更に両者を接着することによって最終的に製造されるものであって、その作業手順上、複数の各種工程を経ることが必要となる。
従って、もっと簡単に製造できる何らかの収納ケースが望まれる。
又、特開２００２−６８３５４号（特許文献２）に関しては、Ｒスリットにディスクを収納することからどうしてもディスクの表面に傷がつきやすくなってしまうものである。
【０００７】
更に、特開２００１−１２２３７４号（特許文献３）に関しては、一の紙製シートから多数枚を収納可能なポケット状の収納部を有するものであるが、どうしても前記と同様にディスクの表面への傷がつき易く、更には複数枚のディスクを並べて収納するものであることからディスク同士での接触或いは圧迫によっても傷がつき易いものである。
更には簡易包装として有効であるが、収納状態でのディスクに対するクッション性がそれほど高いとはいえず、何らかの解決が求められるものである。
次に特開２００２−３７０７２６号（特許文献４）に関しては、外ケースと内ケースを必要として、どうしても手数が掛かってしまうものである。
また、特開２０００−６２７６４号（特許文献５）に関しては、一のシートで構成できる点で有効ではあるが、蛇腹部でのクッション性はそれほど高くなく、どうしてもつぶれるものであり、衝撃に弱くかつ傷つきやすいディスクに関して何らかの保護策が必要である。
【課題を解決するための手段】
【０００８】
以上の通り、紙製の収納ケースであって一のシート地から簡単かつ低コストで製造できると共に、収納したディスクを外部から有効に保護することができる収納ケースの提供が望まれるものであり、更には高級感のある収納ケースの提供が望まれているものである。
係るため請求項１記載の発明は紙製のシート地を折り込んで構成する収納ケースであって、枠体部基面と底面部基面と蓋体部基面とをそれぞれ一定の幅をもって連接すると共に枠体部基面と底面部基面と蓋体部基面のそれぞれの両側部分にはそれぞれ枠体部重ね面と底面部重ね面と蓋体部重ね面を有し、該各重ね面同士は他の重ね面とは切り離されているものであると共に各基面とほぼ同一の大きさを有し、枠体部基面と枠体部重ね面には少なくともディスクの大きさ以上の大きさの切り欠き部を有しており、それぞれの枠体部重ね面を枠体部基面に折り込んで重ね合わせて接着して枠体部を構成し、それぞれの底面部重ね面を底面部基面に折り込んで重ね合わせて接着して底面部を構成し、それぞれの蓋体部重ね面を蓋体部基面に折り込んで重ね合わせて接着して蓋体部を構成し、該枠体部を底面部に折り込んで重ね合わせて接着することにより構成した収納ケースよりなり、係る発明によって前記課題を解決できる。
【０００９】
又、請求項２記載の発明は底面部重ね面に孔を有し、該孔からディスク保持部の円盤状部分を突出して配設した収納ケースよりなり、これによってディスクを簡単に装着できることとなる。
更に、請求項３記載の発明は一の蓋体部重ね面に切れ込み部を設け、該切れ込み部を有する蓋体重ね面を他の蓋体重ね面の上に重ねて折り込むと共に、少なくとも該切れ込み部の周囲の蓋体重ね面同士間においては接着せずには両者間において切れ込み部から物を差し入れることができる収納ケースであり、かかる発明によっても同様である。
【００１０】
或いは請求項４記載の発明である枠体部基面と底面部基面との間における幅が少なくとも各重ね合わせ面の四面分の厚さの長さの幅を有する収納ケースを用いてもよく、請求項５記載の発明の様に底面部基面と蓋体部基面との間における幅が少なくとも各重ね合わせ面の七面の厚さの長さの幅を有する収納ケースであってもよい。
【００１１】
更に、請求項６記載の発明の様に紙製のシート地が厚紙よりなるものでも、請求項７記載の発明の様に紙製のシート地が樹脂シートとの多層シートよりなるものでも、請求項８記載の発明の様に折り込んで重ね合わせての接着が接着部材による接着であるものでも、請求項９記載の発明の様に折り込んで重ね合わせて接着することに代えて折り込んで重ね合わせて溶着する収納ケースを用いたものであってもよいものである。
【発明の効果】
【００１２】
以上のように構成したことから所期の効果を発揮するものであり、特に請求項１記載の発明によって紙製の収納ケースをもって製造できるばかりでなく低コスト及び折り込みと接着によって簡単に製造できるものとなる。
更に全体的に三層構造となって衝撃に強くなり、ディスクの保護の万全が図れると共に、三層構造ゆえに厚みを増し、極めて高級感を醸し出せる収納ケースの提供が図れる。
又、表裏面や内面にも簡単に印刷等の装飾を低コストで簡単に施すことができることとなる。
次に請求項２記載の発明によれば、ディスク保持部を簡単に装着できると共に孔内に配置することからディスク基台部分の厚みを底面部重ね面の厚みで調整できることとなり、不必要な凹凸をなくすことができる。
【００１３】
更に請求項３記載の発明によれば、切れ込みを用いて蓋体重ね面同士の間に物を差し入れておけるものであり、例えばメッセージカードやディスクの説明等を体裁よくしまっておけることとなる。
次に請求項４記載の発明によれば、折り込んで重ね合わせにより構成されるそれぞれ三層の枠体部と底面部とを折り込む際にそれぞれ間に挟まれる二層分ずつの厚みである一の折り込みにおける計四面分の厚みを両者間の幅として有しておれば、体裁よく折り畳むことができることとなる。
又、同様に請求項５記載の発明の様に底面部と蓋体部との間においては計七層分の厚みを有することから両者間の幅を有することによって体裁よくきれいに収まることとなる。
【００１４】
次に請求項６記載の発明によれば厚紙によってしっかりとした強度の高い収納ケースの提供ができ、更に請求項７記載の発明によれば、各種の樹脂を任意に用いて加工が容易なシートの提供や装飾の容易なシートの提供や或いは強度の高い或いは衝撃に強いシートの提供ができ、かかるシートにより所期の効果を着せる収納ケースの提供が図れることとなる。
更に請求項８記載の発明によれば、重ね合わせ部分を接着部材によって容易に接着できることとなり、更には請求項９記載の発明によれば、接着部材を用いなくとも、熱溶着或いは超音波溶着等によって簡単に製造できることとなる。
【発明を実施するための最良の形態】
【００１５】
本発明に係るＣＤやＤＶＤ等のディスク状記憶媒体を収納する収納ケースの一例を図１に示す。
本図に示す構成は一の紙製のシート１を用いて、これを折りたたむと共に接着し、更には円盤状のディスク保持部２を装着して構成した収納ケースの一例である。
従って、底面部１１には枠体部１０が重ね合わせて接着されており、その底面部１１の中心部分にディスク保持部６を有し、更に底面部１１には蓋体部１２が連接されており、蓋体部１２を折り曲げることによって閉じることができるものである。
係る状態において本図にはディスク保持部６にディスクＤが装着されており、更に蓋体部１２には切れ込み部からなるスリット１５があって必要なメッセージや資料等を挟みこめるものである。
【００１６】
本収納ケースは紙製であり、簡単な折り込みと接着によって構成できると共に表紙や裏表紙或いは内側の両面に簡単に各種印刷を施すことが可能である。
尚、本発明において紙製のシートとは紙のみで構成されるシートに限らず樹脂シートとラミネートされている或いは多層シート等であってよいのはもちろんである。 
次に図２は、本収納ケースの紙製シートの展開図を示す図である。
本図のように、成型された段階での収納ケースの縦横の長さに対してそれぞれその略三倍よりやや長い縦横の長さを有するシート１を基調とする。
該シートは枠体を構成する枠体部１０と、底面を構成する底面部１１と、蓋体を構成する蓋体部１２からなる。
更に枠体部１０は枠体部基面１００とその両端部分に連接している両枠体部重ね面１０１、１０２からなり、枠体部基面１００に両枠体部重ね面１０１、１０２をそれぞれその連接する連接線３１、３２で折り込んで重ね合わせて構成されるものである。
又、底面を構成する底面部１１も、底面部基面１１０と、その両端部に連接している両底面部重ね面１１１、１１２からなるものである。
【００１７】
この両底面部重ね面１１１、１１２は、それぞれその連接する連接線４１、４２で折り込んで底面部基面１１０に重ね合わせた上それぞれ接着部材等で接着するものであり、この重ねあわせで底面部１１を構成する。
更に蓋体を構成する蓋体部１２は、蓋体部基面１２０とその両端部に連接している両蓋体部重ね面１２１、１２２からなるものである。
この両蓋体部重ね面１２１、１２２は、それぞれその連接する連接線５１、５２で折り込んで蓋体部基面１２０に重ね合わせた上、同様にそれぞれ接着部材等で接着するものであり、この重ね合わせで蓋体部１２を構成する。
【００１８】
但し、蓋体重ね面１２１、１２２同士間にあっては両者間に接着していない面を有することが必要であり、この接着していない面には切れ込み部１５からなるスリットを用いてその間に物を挟みこめることとなる。
更に枠体部基面１００と底面部基面１１０と蓋体部基面１２０とはそれぞれ連接していると共にそれぞれの間を折り曲げ可能となっている。
特に枠体部基面１００と底面部基面１１０との間においては、それぞれ基面部分と両重ね面部分とで三層構造となることから、この両者をもって折り曲げて折両面を重ね合わせ可能とするためにこの間に挟まれる両二層分即ち計四層分の厚み程度の幅２１、２２を有しているものである。
【００１９】
又、同様に底面部基面１１０と蓋体部基面１２０との間においても、それぞれ基面部分と両重ね面部分をもって折り曲げて折両面を重ね合わせ可能とするため、前記折り込んだ枠体部１０の厚みを考慮すると計七層分の厚み程度の幅２３、２４を有しているものである。
これらのように幅を有することにより、体裁よく高級感を醸し出したケースを製造できることとなる。
この連接する枠体部基面１００と底面部基面１１０と蓋体部基面１２０の両脇に位置する側面には前述のようにそれぞれ重ね面を有するものであり、この重ね面に関しては他の重ね面とは切り離されているものであると共に各基面とほぼ同一の大きさを有するものである。
従って、重ね面を基面に重ね合わせるときっちりと端辺部分が一致するものである。
【００２０】
次に枠体部基面１００と枠体部重ね面１０１、１０２にはそれぞれディスクが入ると共に指先が入る程度の切り欠き部分１４０、１４１、１４２を有する。
これは枠体部内にディスクＤを収納し、更にそのディスクＤの外周縁部分を指で触れた状態で取り出し可能とする程度の空間を作るためである。
本図に示す構成は角部をアール形状で構成したひし形形状の切り抜きを示すが、本図は一例であり、他の切り抜き形状をもって構成したものであってももちろんよい。
次に、底面部１１の底面部重ね面１１１、１１２には円盤状のディスク保持部を装着するための孔１３１、１３２を有している。
【００２１】
これは底面部重ね面１１１、１１２を折り込んで底面部基面１１０に重ね合わせる際にこの間に円盤状のディスク保持部６を挟み込んで装着し、該孔１３１、１３２よりディスク保持部６を突出するための孔である。
従ってこの孔１３１、１３２の位置は中心部が望ましいが、ディスク配設位置に応じて適宜必要な位置に設けるものであればよい。
更に、本図構成は両底面部重ね面１１１、１１２に孔１３１、１３２を有するものであり、一の面の孔１３２はやや大きく、他の面の孔１３１はこれよりもやや小さく円盤状ディスク保持部６の円盤状部分６１の大きさからなるものである。
【００２２】
これはやや大きい孔１３２の部分内にディスク保持部６の基台部分６０も含めて収まり、更に突出円盤状部分６１がこれよりやや小さい孔１３１に収まるものである。
従ってディスク保持部６を底面部基面１１０に装着してまずやや大きい孔１３２を有する底面部重ね面１１２を折り込んで重ね合わせ、更にやや小さい孔１３１を有する底面部重ね面１１１を折り込んで重ね合わせることにより、底面部１１を構成することができ、この様に構成するとディスク保持部６の基台部分６０の厚みを底面部重ね面１１１で調整でき、更には重ね合わせによりきっちりとディスク保持部６を装着できることとなる。
【００２３】
次に、蓋体部１２に関しては、一の蓋体部重ね面１２１に切れ込み部１５からなるスリットを有しており、両蓋体部重ね面１２１、１２２を蓋体部基面１２０に折り込んで重ね合わせる際にこの切れ込み部１５を有する面を最上面とすることにより、この切れ込み部１５から物を差し入れられるものとなり、両蓋体重ね面１２１、１２２間に物を挟み込んで収納することができることとなる。
従って前記の通り、該スリットの近傍については両蓋体部重ね面１２１、１２２同士を接着せずに少なくとも両者の外周端縁部近傍において接着部材等で接着しているものであればよい。  
以上の通り、まず一の紙製のシート地に対して必要な切れ込みや切り抜きを行うことによって簡単に図２に示すシート地を製造できる。
更に同時に或いは別途折り込み部分において折り目をつけることによって重ね合わせなどの折り込みを容易にできるものである。
即ち必要な連接線部分に折り目をつけることによって簡単に次工程で折り込みを行うことができる。
【００２４】
図3は、それぞれの重ね面を重ね合わせて重ね合わせた状態を示す図である。
本図は折り込みの途中形状を判り易く説明するために入れた図であり、製造工程上この形態を一旦することが必要である形状ではない。
即ち、前記の通り両枠体部重ね面１０１、１０２を折り込んで枠体部１０を構成し、一定の幅２１、２２を介して両底面部重ね面１１１、１１２を折り込んで構成した底面部１１に連接しており、さらにまた一定の幅２３、２４を介して両蓋体部重ね面１２１、１２２を折り込んで構成した蓋体部１２に連接している。
本図においては、これらはそれぞれ接着部材で接着するが、本図では未だ円盤状のディスク保持部を配設していないものであることから、これを配設した状態で接着するものである。
【００２５】
図４は、円盤状のディスク保持部を配設した状態を示す図であり、本図構成のようにディスク保持部６を配設してそれぞれの重ね面１１１、１１２を接着して、枠体部１０と底面部１１と蓋体部１２とを形作り、更にそれぞれは又折り込んで重ね合わすことができる。
本図に示す工程に関しては、図2に示す必要なシート地を切り抜く工程の後に、必要な接着部材を塗着してさらに各重ね面を折り込んで接着する工程を経るものであり、この際に該ディスク保持部を定置して必要に応じて接着乃至溶着する工程を経るものであればよい。
【００２６】
次に図５に示す図は、図４の状態から更に枠体部１０を底面部１１に重ね合わせて両者を接着した状態を示す図である。
この様に構成することによって、ディスクＤを収納すべき位置に対してその厚み以上の幅を枠体部１０で保持でき、ディスクＤを安全に収納することができる。
更に必要に応じてディスクＤを着脱できるものである。
従って、この状態で蓋体を閉めることによって外部からの衝撃に対して有効にディスクＤを保護できる。
【００２７】
特に、底面部１１、蓋体部１２、枠体部１０はそれぞれ衝撃に対して弾力をもってクッション状の保護が可能な紙製よりなると共に更にはそれぞれ三層構造よりなり、極めて有効に保護できることとなる。
以上のように、本発明に係る収納ケースは紙製により簡単に製造できるものであり、更には保護材としてそれぞれ三層構造を持ち極めて衝撃に強いものとなる。
更に、三層構造ゆえそれぞれの部分は厚みを有し、高級感を醸し出すことができると共に表裏面のみならず内面においてもさまざまな装飾を印刷等で簡単に施すことができ、極めて使い勝手の良い収納ケースの提供ができるものである。
【００２８】
尚、本発明において、紙製シートを用いるものであるが前述のように厚紙や硬質紙等の他、例えば一定の厚みを有する紙、或いは他の樹脂シートとの複合シート、或いはラミネート、又はコーティングシート等であってもよいものである。
少なくとも一部に紙製素材を用いているシートであればよい。
次に、本発明においてはその説明上各部の重ね合わせや折り込みの段階において接着部材による接着によって構成するものとして説明しているが、 接着部材を用いる他例えば複合シート地を用いて熱溶着乃至超音波溶着等の溶着したものを持って構成したものでもよい。
【００２９】
尚、説明上枠体部１０と底面部１１と蓋体部１２はそれぞれ同一の大きさであることを前提として説明しているが、必ずしも全て同じ大きさであることに限らず、例えば底面部が大きく、枠体部がやや小さく構成したものであってもよい。
又蓋体部１２が開閉の便宜のため底面部１１等より大きいものであってもよいものである。
従って、それぞれの大きさは任意に定めるものであってもよい。
更に各重ね面に関しても、その基面との大きさの関係はほぼ同一であることが最適ではあるがこれに拘束されるものではなく、重ね合わされる重ね面の大きさを変えてアクセントをつけるものであってもよく、少なくとも折り込みによってクッション性を高められるものであればよい。
【図面の簡単な説明】
【００３０】
【図１】本発明に係る収納ケースにディスクを装着した一実施の状態を示す図
【図２】図１に示す収納ケースのシート地の展開状態を示す図
【図３】折り込みの途中の段階における折り込み状態の一例を示す図
【図４】折り込みの途中の段階における一例を示す図
【図５】本発明に係る収納ケースの一実施の状態を示す図
【符号の説明】
【００３１】
１０    枠体部
１００  枠体部基面
１０１  枠体部重ね面
１０２  枠体部重ね面
１１    底面部
１１０  底面部基面
１１１  底面部重ね面
１１２  底面部重ね面
１２    蓋体部
１２０  蓋体部基面
１２１  蓋体部重ね面
１２２  蓋体部重ね面
１３    孔
１３１  孔
１３２  孔
１４    切り欠き部
１４０  切り欠き部
１４１  切り欠き部
１４２  切り欠き部
１５    切れ込み部
６      ディスク保持部  
Ｄ      ディスク
【図１】
2007112493.tif 000003
【図２】
2007112493.tif 000004
【図３】
2007112493.tif 000005
【図４】
2007112493.tif 000006
【図５】
2007112493.tif 000007